【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
移動通信システムにおいてハーフ周波数分割デュプレックス（Ｈ―ＦＤＤ）動作をサポートするＦＤＤフレーム構造を用いてＨ―ＦＤＤ移動局（Ｈ―ＦＤＤ  ＭＳ）で前記Ｈ―ＦＤＤ動作を行う方法であって、前記方法は、
ＦＤＤフレームの１番目のアップリンクサブフレーム、２番目のアップリンクサブフレーム及び最後のアップリンクサブフレームを除いて、少なくとも一つのアップリンクサブフレームを通して信号を伝送することを含み、
前記ＦＤＤフレームの前記１番目のアップリンクサブフレーム、前記２番目のアップリンクサブフレーム及び前記最後のアップリンクサブフレームは、前記Ｈ―ＦＤＤ  ＭＳに対する遊休サブフレームとして構成され、
前記１番目のアップリンクサブフレームは、前記ＦＤＤフレームの開始に位置し、前記ＦＤＤフレームにおいて、前記１番目のアップリンクサブフレームの直後に、前記２番目のアップリンクサブフレームが続き、
前記１番目のアップリンクサブフレームは、前記ＦＤＤフレームの時間領域において１番目のダウンリンクサブフレームと整列される、方法。
【請求項２】
前記１番目のアップリンクサブフレーム、前記２番目のアップリンクサブフレーム及び前記最後のアップリンクサブフレームのＨＡＲＱ（Ｈｙｂｒｉｄ  Ａｕｔｏｍａｔｉｃ  Ｒｅｐｅａｔ  ｒｅＱｕｅｓｔ）タイミングに対応するダウンリンクサブフレームは、前記Ｈ―ＦＤＤ  ＭＳに対する前記遊休サブフレームとしてさらに構成される、請求項１に記載の方法。
【請求項３】
前記１番目のダウンリンクサブフレームを通してＢＳからスーパーフレームヘッダー（ＳＦＨ）またはプリアンブルを受信することをさらに含む、請求項１に記載の方法。
【請求項４】
アップリンクフレームまたはダウンリンクフレームのチャンネル帯域幅は、５ＭＨｚ、１０ＭＨｚ及び２０ＭＨｚのうちのいずれか一つであり、Ｃｙｃｌｉｃ  Ｐｒｅｆｉｘ（ＣＰ）の長さは、有効シンボルの長さの１／８である、請求項１に記載の方法。
【請求項５】
特定ＦＤＤフレームにおけるダウンリンクサブフレームの個数とアップリンクサブフレームの個数の比率は、４：４である、請求項４に記載の方法。
【請求項６】
前記遊休サブフレームでの前記２番目のアップリンクサブフレーム及び前記最後のアップリンクサブフレームは、伝送と受信との間の転移ギャップに対するものである、請求項１に記載の方法。
【請求項７】
移動通信システムにおいてハーフ周波数分割デュプレックス（Ｈ―ＦＤＤ）動作をサポートする周波数分割デュプレックス（ＦＤＤ）フレーム構造を用いて基地局（ＢＳ）で前記Ｈ―ＦＤＤ動作を行う方法であって、前記方法は、
ＦＤＤフレームの１番目のアップリンクサブフレーム、２番目のアップリンクサブフレーム及び最後のアップリンクサブフレームを除いて、少なくとも一つのサブフレームのスケジューリングを行うことを含み、
前記ＦＤＤフレームの前記１番目のアップリンクサブフレーム、前記２番目のアップリンクサブフレーム及び前記最後のアップリンクサブフレームは、Ｈ―ＦＤＤ  ＭＳに対する遊休サブフレームとして構成され、
前記１番目のアップリンクサブフレームは、前記ＦＤＤフレームの開始に位置し、前記ＦＤＤフレームにおいて、前記１番目のアップリンクサブフレームの直後に、前記２番目のアップリンクサブフレームが続き、
前記１番目のアップリンクサブフレームは、前記ＦＤＤフレームの時間領域において１番目のダウンリンクサブフレームと整列される、方法。
【請求項８】
前記１番目のアップリンクサブフレーム、前記２番目のアップリンクサブフレーム及び前記最後のアップリンクサブフレームのＨＡＲＱ（Ｈｙｂｒｉｄ  Ａｕｔｏｍａｔｉｃ  Ｒｅｐｅａｔ  ｒｅＱｕｅｓｔ）タイミングに対応するダウンリンクサブフレームは、前記Ｈ―ＦＤＤ  ＭＳに対する前記遊休サブフレームとしてさらに構成される、請求項７に記載の方法。
【請求項９】
前記ダウンリンクサブフレームを除く一つ以上の他のダウンリンクサブフレームを通して前記Ｈ―ＦＤＤ  ＭＳにデータを伝送することをさらに含む、請求項８に記載の方法。
【請求項１０】
前記１番目のダウンリンクサブフレームを通して前記Ｈ―ＦＤＤ  ＭＳにスーパーフレームヘッダー（ＳＦＨ）またはプリアンブルを伝送することをさらに含む、請求項８に記載の方法。
【請求項１１】
移動通信システムにおいてハーフ周波数分割デュプレックス（Ｈ―ＦＤＤ）動作をサポートする周波数分割デュプレックス（ＦＤＤ）フレーム構造を用いて前記Ｈ―ＦＤＤ動作を行うＨ―ＦＤＤ移動局（ＭＳ）であって、前記Ｈ―ＦＤＤ  ＭＳは、
送信器と、
プロセッサと
を含み、
前記プロセッサは、前記送信器がＦＤＤフレームの１番目のアップリンクサブフレーム、２番目のアップリンクサブフレーム及び最後のアップリンクサブフレームを除いて、少なくとも一つのアップリンクサブフレームを通して信号を伝送することを制御するように構成されており、
前記ＦＤＤフレームの前記１番目のアップリンクサブフレーム、前記２番目のアップリンクサブフレーム及び前記最後のアップリンクサブフレームは、前記Ｈ―ＦＤＤ  ＭＳに対する遊休サブフレームとして構成されており、
前記１番目のアップリンクサブフレームは、前記ＦＤＤフレームの開始に位置し、前記ＦＤＤフレームにおいて、前記１番目のアップリンクサブフレームの直後に、前記２番目のアップリンクサブフレームが続き、
前記１番目のアップリンクサブフレームは、前記ＦＤＤフレームの時間領域において１番目のダウンリンクサブフレームと整列されている、Ｈ―ＦＤＤ  ＭＳ。
【請求項１２】
前記１番目のアップリンクサブフレーム、前記２番目のアップリンクサブフレーム及び前記最後のアップリンクサブフレームのＨＡＲＱ（Ｈｙｂｒｉｄ  Ａｕｔｏｍａｔｉｃ  Ｒｅｐｅａｔ  ｒｅＱｕｅｓｔ）タイミングに対応するダウンリンクサブフレームは、前記Ｈ―ＦＤＤ  ＭＳに対する前記遊休サブフレームとしてさらに構成されている、請求項１１に記載のＨ―ＦＤＤ  ＭＳ。
【請求項１３】
移動通信システムにおいてハーフ周波数分割デュプレックス（Ｈ―ＦＤＤ）動作をサポートする周波数分割デュプレックス（ＦＤＤ）フレーム構造を用いてリソース割り当て情報を伝送する基地局（ＢＳ）であって、前記ＢＳは、
ＦＤＤフレームの１番目のアップリンクサブフレーム、２番目のアップリンクサブフレーム及び最後のアップリンクサブフレームを除いて、少なくとも一つのサブフレームのスケジューリングを行うように構成されたプロセッサを含み、
前記ＦＤＤフレームの前記１番目のアップリンクサブフレーム、前記２番目のアップリンクサブフレーム及び前記最後のアップリンクサブフレームは、Ｈ―ＦＤＤ  ＭＳに対する遊休サブフレームとして構成されており、
前記１番目のアップリンクサブフレームは、前記ＦＤＤフレームの開始に位置し、前記ＦＤＤフレームにおいて、前記１番目のアップリンクサブフレームの直後に、前記２番目のアップリンクサブフレームが続き、
前記１番目のアップリンクサブフレームは、前記ＦＤＤフレームの時間領域において１番目のダウンリンクサブフレームと整列されている、ＢＳ。
【請求項１４】
前記１番目のアップリンクサブフレーム、前記２番目のアップリンクサブフレーム及び前記最後のアップリンクサブフレームのＨＡＲＱ（Ｈｙｂｒｉｄ  Ａｕｔｏｍａｔｉｃ  Ｒｅｐｅａｔ  ｒｅＱｕｅｓｔ）タイミングに対応するダウンリンクサブフレームは、前記Ｈ―ＦＤＤ  ＭＳに対する前記遊休サブフレームとしてさらに構成されている、請求項１３に記載のＢＳ。
【手続補正２】
【補正対象書類名】明細書
【補正対象項目名】００２３
【補正方法】変更
【補正の内容】
【００２３】
前記の技術的課題を達成するための、Ｈ―ＦＤＤ（Ｈａｌｆ―Ｆｒｅｑｕｅｎｃｙ  Ｄｉｖｉｓｉｏｎ  Ｄｕｐｌｅｘ）動作をサポートするために通信を行う基地局装置は、前記Ｈ―ＦＤＤフレーム構造を用いる端末に対して遊休時間をサブフレーム単位で割り当てるスケジューリングを含む資源割り当てスケジューリングを行うプロセッサと、前記スケジューリングによる遊休時間情報を含む資源割り当て情報を前記端末に伝送する伝送モジュールとを含むことができる。
本願明細書は、例えば、以下の項目も提供する。
（項目１）
移動通信システムで端末がＨ―ＦＤＤ（Ｈａｌｆ―Ｆｒｅｑｕｅｎｃｙ  Ｄｉｖｉｓｉｏｎ  Ｄｕｐｌｅｘ）動作をサポートするフレーム構造を用いて通信を行う方法において、
基地局からサブフレーム単位で割り当てられた遊休時間に関する情報を含む資源割り当て情報を受信すること；及び
前記の受信した遊休時間割り当て情報に基づいて特定フレームで遊休時間のために割り当てられたサブフレームを除いた残りの一つ以上のサブフレームを用いて通信を行うことを含むことを特徴とする通信遂行方法。
（項目２）
前記遊休時間割り当て情報は、前記特定フレームで遊休サブフレームとして割り当てられたサブフレームが１番目、２番目及び最後のアップリンクサブフレームであることを示す情報を含むことを特徴とする、項目１に記載の通信遂行方法。
（項目３）
前記遊休時間割り当て情報は、前記特定フレームで前記遊休サブフレームとして割り当てられたアップリンクサブフレームに対してＨＡＲＱ（Ｈｙｂｒｉｄ  Ａｕｔｏｍａｔｉｃ  Ｒｅｐｅａｔ  ｒｅＱｕｅｓｔ）タイミングが対応し、遊休サブフレームとして割り当てられたダウンリンクサブフレーム情報をさらに含むことを特徴とする、項目２に記載の通信遂行方法。
（項目４）
前記遊休サブフレームとして割り当てられた前記１番目のアップリンクサブフレームと同一のタイミングに該当する１番目のダウンリンクサブフレームを通してスーパーフレームヘッダー又はプリアンブルを受信することを特徴とする、項目２に記載の通信遂行方法。
（項目５）
前記特定フレームは、５ＭＨｚ、１０ＭＨｚ及び２０ＭＨｚのうちいずれか一つのチャンネル帯域幅を有し、ＣＰ（Ｃｙｃｌｉｃ  Ｐｒｅｆｉｘ）長さが有効シンボルの長さの１／８であることを特徴とする、項目１に記載の通信遂行方法。
（項目６）
前記資源割り当て情報は、スーパーフレームヘッダー、プリアンブル及びＭＡＰのうちいずれか一つを通して受信することを特徴とする、項目１に記載の通信遂行方法。
（項目７）
前記特定フレームでのダウンリンクサブフレームの個数及びアップリンクサブフレームの個数の比率は４：４であることを特徴とする、項目５に記載の通信遂行方法。
（項目８）
前記遊休サブフレームとして割り当てられた２番目のアップリンクサブフレームは、伝送と受信との間の転移ギャップのために割り当てられたことを特徴とする、項目１に記載の通信遂行方法。
（項目９）
移動通信システムでＨ―ＦＤＤ（Ｈａｌｆ―Ｆｒｅｑｕｅｎｃｙ  Ｄｉｖｉｓｉｏｎ  Ｄｕｐｌｅｘ）動作をサポートするために基地局が通信を行う方法において、
前記Ｈ―ＦＤＤフレーム構造を用いる端末に対して遊休時間をサブフレーム単位で割り当てるスケジューリングを含む資源割り当てスケジューリングを行うこと；及び
前記スケジューリングによる遊休時間情報を含む資源割り当て情報を前記端末に伝送することを含むことを特徴とする通信遂行方法。
（項目１０）
前記遊休時間情報は、前記フレーム構造で特定フレーム内の１番目、２番目及び最後のアップリンクサブフレームが遊休サブフレームとして割り当てられたことを示す情報を含むことを特徴とする、項目９に記載の通信遂行方法。
（項目１１）
前記遊休時間情報は、前記特定フレームで前記遊休サブフレームとして割り当てられたアップリンクサブフレームに対してＨＡＲＱ（Ｈｙｂｒｉｄ  Ａｕｔｏｍａｔｉｃ  Ｒｅｐｅａｔ  ｒｅＱｕｅｓｔ）タイミングが対応し、遊休サブフレームとして割り当てられたダウンリンクサブフレーム情報をさらに含むことを特徴とする、項目１０に記載の通信遂行方法。
（項目１２）
前記特定フレームで前記遊休サブフレームとして割り当てられたダウンリンクサブフレームを除いた残りの一つ以上のダウンリンクサブフレームを通して前記端末に信号を伝送することをさらに含むことを特徴とする、項目１０に記載の通信遂行方法。
（項目１３）
移動通信システムでＨ―ＦＤＤ（Ｈａｌｆ―Ｆｒｅｑｕｅｎｃｙ  Ｄｉｖｉｓｉｏｎ  Ｄｕｐｌｅｘ）動作をサポートするフレーム構造を用いて通信を行う端末装置において、基地局からサブフレーム単位で割り当てられた遊休時間に関する情報を含む資源割り当て情報を受信する受信モジュール；
前記の受信した遊休時間割り当て情報に基づいて特定フレームで遊休時間のために割り当てられたサブフレームを除いた残りの一つ以上のサブフレームを通して信号を伝送又は受信するように制御するプロセッサ；及び
前記プロセッサの制御によって遊休時間のために割り当てられたサブフレームを除いた残りの一つ以上のサブフレームを通して信号を伝送又は受信するＲＦ（Ｒａｄｉｏ  Ｆｒｅｑｕｅｎｃｙ）ユニットを含むことを特徴とする端末装置。
（項目１４）
前記遊休時間割り当て情報は、前記特定フレームで遊休サブフレームとして割り当てられたサブフレームが１番目、２番目及び最後のアップリンクサブフレームであることを示す情報を含むことを特徴とする、項目１３に記載の端末装置。
（項目１５）
前記遊休時間割り当て情報は、前記特定フレームで前記遊休サブフレームとして割り当てられたアップリンクサブフレームに対してＨＡＲＱ（Ｈｙｂｒｉｄ  Ａｕｔｏｍａｔｉｃ  Ｒｅｐｅａｔ  ｒｅＱｕｅｓｔ）タイミングが対応し、遊休サブフレームとして割り当てられたダウンリンクサブフレーム情報をさらに含むことを特徴とする、項目１４に記載の端末装置。
（項目１６）
移動通信システムでＨ―ＦＤＤ（Ｈａｌｆ―Ｆｒｅｑｕｅｎｃｙ  Ｄｉｖｉｓｉｏｎ  Ｄｕｐｌｅｘ）動作をサポートするために通信を行う基地局装置において、
前記Ｈ―ＦＤＤフレーム構造を用いる端末に対して遊休時間をサブフレーム単位で割り当てるスケジューリングを含む資源割り当てスケジューリングを行うプロセッサ；及び
前記スケジューリングによる遊休時間情報を含む資源割り当て情報を前記端末に伝送する伝送モジュールを含むことを特徴とする基地局装置。
（項目１７）
前記遊休時間情報は、前記フレーム構造で特定フレーム内の１番目、２番目及び最後のアップリンクサブフレームが遊休サブフレームとして割り当てられたことを示す情報を含むことを特徴とする、項目１６に記載の基地局装置。
（項目１８）
前記遊休時間情報は、前記特定フレームで前記遊休サブフレームとして割り当てられたアップリンクサブフレームに対してＨＡＲＱ（Ｈｙｂｒｉｄ  Ａｕｔｏｍａｔｉｃ  Ｒｅｐｅａｔ  ｒｅＱｕｅｓｔ）タイミングが対応し、遊休サブフレームとして割り当てられたダウンリンクサブフレーム情報をさらに含むことを特徴とする、項目１７に記載の基地局装置。
（項目１９）
前記特定フレームで前記遊休サブフレームとして割り当てられたダウンリンクサブフレームを除いた残りのダウンリンクサブフレームを通して前記端末に信号を伝送する伝送モジュールをさらに含むことを特徴とする、項目１６に記載の基地局装置。